(57)【特許請求の範囲】
【請求項１】
リモコン装置とこのリモコン装置で操作される電子機器と、からなるリモコンシステムであって、
リモコン装置は、
少なくとも同時動作可能な複数の赤外線信号送信部と、
複数の赤外線信号源部と、
前記複数の赤外線信号源部と、前記複数の赤外線信号送信部と、の接続制御をする送信接続制御部と、
を有し、
送信接続制御部は、
赤外線信号送信部の赤外線有効送信範囲情報を含む送信部属性情報を保持する送信部属性情報保持手段と、
送信部属性情報保持手段に保持されている送信部属性情報に基づいて赤外線信号の干渉が少ない配置となるように前記複数の赤外線信号源部と、前記複数の赤外線信号送信部と、の接続制御をする属性依存接続制御手段と、
を備え、
電子機器は、リモコン装置の複数の赤外線信号送信部にそれぞれ対応する赤外線信号受信部を有するリモコンシステム。
【請求項２】
リモコン装置とこのリモコン装置で操作される電子機器と、からなるリモコンシステムであって、
リモコン装置は、
少なくとも同時動作可能な複数の赤外線信号送信部と、
複数の赤外線信号源部と、
前記複数の赤外線信号源部と、前記複数の赤外線信号送信部と、の接続制御をする送信接続制御部と、
を有し、
電子機器は、リモコン装置の複数の赤外線信号送信部にそれぞれ対応する赤外線信号受信部を有し、
さらに電子機器は、
リモコン装置に対して受信強度測定用信号送信命令を出力する受信強度測定用信号送信命令出力部と、
送信された受信強度測定用信号送信命令に応じてリモコン装置から送信される複数の受信強度測定用信号を赤外線信号受信部にて受信して、それぞれに対して同等の利得制御を実行して複数の受信強度測定用信号の受信強度を測定する受信強度測定部と、を有し、
さらにリモコン装置は、
受信した受信強度測定用信号送信命令に応じてそれぞれの赤外線信号送信部から受信強度測定用信号を重ならないように送信させる受信強度測定用信号送信制御部と、
を有するリモコンシステム。
【請求項３】
電子機器は受信強度測定部での測定結果に応じて複数の赤外線信号受信部の一部又は全部を有効にし、又は無効にする第一有効性制御部を有する請求項２に記載のリモコンシステム。
【請求項４】
リモコン装置は、電子機器の受信強度測定部での測定結果を取得する測定結果取得部を有し、
送信接続制御部は、取得した測定結果に応じて複数の赤外線信号送信部の一部又は全部を有効にし、又は無効にする第二有効性制御手段を有する請求項２又は３に記載のリモコンシステム。
【請求項５】
電子機器は、
受信強度測定部での受信強度測定結果に基づいてリモコン装置の複数の赤外線信号送信部から送信される赤外線信号が、電子機器の赤外線信号受信部に受信される経路がねじれ関係となっているか判断するねじれ関係判断部と、
ねじれ関係判断部での判断結果をリモコン装置に送信するねじれ関係判断結果送信部と、
を有する請求項２から４のいずれか一に記載のリモコンシステム。
【請求項６】
リモコン装置は、電子機器のねじれ関係判断結果を取得するねじれ関係判断結果取得部を有し、
送信接続制御部は、取得したねじれ関係判断結果に基づいて接続制御をするねじれ関係依存接続制御手段を有する請求項５に記載のリモコンシステム。
【請求項７】
電子機器は、
赤外線信号受信部にて受信した赤外線信号をその通信方式に応じて処理するための複数の受信信号処理部と、
複数の赤外線信号受信部と、複数の受信信号処理部との接続制御をする受信接続制御部を有し、
前記受信接続制御部は、ねじれ関係判断結果に基づいて受信接続制御をするねじれ関係依存受信接続制御手段を有する請求項５に記載のリモコンシステム。
【請求項８】
少なくとも同時動作可能な複数の赤外線信号送信部と、複数の赤外線信号源部と、を有するリモコン装置と、リモコン装置の複数の赤外線信号送信部にそれぞれ対応する赤外線信号受信部を有する、前記リモコン装置で操作される電子機器と、からなるリモコンシステムの動作方法であって、
リモコン装置において、
前記複数の赤外線信号源部と、前記複数の赤外線信号送信部と、の接続制御をする送信接続制御ステップと、
電子機器において、
リモコン装置に対して受信強度測定用信号送信命令を出力する受信強度測定用信号送信命令出力ステップと、
リモコン装置において、電子機器から受信した受信強度測定用信号送信命令に応じてそれぞれの赤外線信号送信部から受信強度測定用信号を重ならないように送信させる受信強度測定用信号送信制御ステップと、
電子機器において、
送信された受信強度測定用信号送信命令に応じてリモコン装置から送信される複数の受信強度測定用信号を赤外線信号受信部にて受信して、それぞれに対して同等の利得制御を実行して複数の受信強度測定用信号の受信強度を測定する受信強度測定ステップと、
からなるリモコンシステムの動作方法。
【請求項９】
電子機器における、受信強度測定ステップでの測定結果に応じて複数の赤外線信号受信部の一部又は全部を有効にし、又は無効にする第一有効性制御ステップをさらに有する請求項８に記載のリモコンシステムの動作方法。
【請求項１０】
リモコン装置において、電子機器の受信強度測定ステップでの測定結果を取得する測定結果取得ステップを有し、
送信接続制御ステップは、取得した測定結果に応じて複数の赤外線信号送信部の一部又は全部を有効にし、又は無効にする第二有効性制御サブステップを有する請求項８又は９に記載のリモコンシステムの動作方法。
【請求項１１】
電子機器において、
受信強度測定ステップでの受信強度測定結果に基づいてリモコン装置の複数の赤外線信号送信部から送信される赤外線信号が、電子機器の赤外線信号受信部に受信される経路がねじれ関係となっているか判断するねじれ関係判断ステップと、
ねじれ関係判断ステップでの判断結果をリモコン装置に送信するねじれ関係判断結果送信ステップと、
を有する請求項８から１０のいずれか一に記載のリモコンシステムの動作方法。
【請求項１２】
リモコン装置において、電子機器でのねじれ関係判断結果を取得するねじれ関係判断結果取得ステップを有し、
送信接続制御ステップは、取得したねじれ関係判断結果に基づいて接続制御をするねじれ関係依存接続制御サブステップを有する請求項１１に記載のリモコンシステムの動作方法。
【請求項１３】
電子機器は、赤外線信号受信部にて受信した赤外線信号をその通信方式に応じて処理するための複数の受信信号処理部をさらに有し、
電子機器において、複数の赤外線信号受信部と、複数の受信信号処理部との接続制御をする受信接続制御ステップを有し、
前記受信接続制御ステップは、ねじれ関係判断結果に基づいて受信接続制御をするねじれ関係依存受信接続制御サブステップを有する請求項１１に記載のリモコンシステムの動作方法。
【発明の詳細な説明】
【技術分野】
【０００１】
本発明は、複数の赤外線信号を同時に送信可能なリモコン装置と、リモコン装置により操作される電子機器とから構成されるリモコンシステムに関する。
【背景技術】
【０００２】
従来、テレビ等を赤外線リモコンによって遠隔操作することが一般的に行なわれていたが、近年においては携帯電話等にも赤外線通信用のモジュールが備えられており、デジタルテレビやオーディオ機器に対して赤外線通信にてデータ転送を行なうこと等が可能となっている。また、赤外線通信としても、遠隔操作するためのリモコン通信、ＩｒＤＡ、ＩｒＳｉｍｐｌｅなど、様々な通信方式が存在する。ところで、赤外線通信においては異なるデータを伝送している赤外線同士が干渉すると、送信されたデータが正確に伝わらなくなってしまう。このような問題を解決するために、特許文献１においては、ＩｒＤＡ信号とリモコン信号を送受信することが可能なリモコンにおいて、リモコン信号の送信を行なう場合にはＩｒＤＡ信号の送信を禁止することにより、ＩｒＤＡ信号とリモコン信号とが干渉しないようにする赤外線通信装置が開示されている。
【特許文献１】特開２００２−１９１０８５号公報
【発明の開示】
【発明が解決しようとする課題】
【０００３】
しかしながら、特許文献１のように赤外線通信を制御すると、ＩｒＤＡ信号とリモコン信号の干渉は起こらないものの、リモコン信号を送信している間にはＩｒＤＡ信号を送信できないという不便さがある。
【課題を解決するための手段】
【０００４】
そこで、本発明においては、リモコン装置と、このリモコン装置で操作される電子機器とから構成されるリモコンシステムであって、リモコン装置は、複数の赤外線信号送信部と複数の赤外線信号源部を有し、電子機器は、リモコン装置の複数の赤外線信号送信部に対応する赤外線信号受信部を有するリモコンシステムを提供する。赤外線信号送信部は、例えば赤外線発光モジュールなどが該当し、赤外線信号源部は、赤外線信号を送信するための処理を行なう処理機構等が該当する。また、赤外線信号源部は複数存在し、それぞれが、リモコン信号、ＩｒＤＡ信号、ＩｒＳｉｍｐｌｅ信号などの通信方式の異なる赤外線信号を送信するために変調などの処理を行なう処理機構等であってもよい。また、リモコン装置は複数の赤外線信号源部と、複数の赤外線信号送信部との接続制御を行なうことが可能であり、すなわち、それぞれの赤外線信号送信部から、どの通信方式の赤外線信号を送信するかを切り換えること等が可能である。
【０００５】
図１に、本発明に係るリモコン装置の概要を例示する。リモコン装置（０１００）は、図１（ａ）のように、複数の赤外線信号送信部（０１０１ａ、０１０１ｂ、０１０１ｃ、０１０１ｄ）を備えている。ここで、図１（ｂ）に示すように赤外線信号送信部０１０１ｂと赤外線信号送信部０１０１ｃとから異なる方式の赤外線信号を出力する場合、互いの通信領域が干渉する干渉領域（０１０２）が存在する。しかし、図１（ｃ）に示すように赤外線信号送信部０１０１ａと赤外線信号送信部０１０１ｃとから異なる方式の赤外線を出力するように接続制御を行なえば、干渉領域は小さくなり、通信距離によっては干渉領域が存在しなくなる。
【０００６】
また、本発明にかかるリモコンシステムは、リモコン装置にて複数の赤外線信号源部と複数の赤外線信号送信部との接続制御を行なう際に、複数の赤外線信号送信部が一の電子機器に対して同じ赤外線信号を送信するように接続制御を行なうようになっていてもよい。さらに、複数の赤外線信号送信部が一の電子機器に対して異なる赤外線信号を送信するように制御するようになっていてもよい。また、接続制御を行なう際に、赤外線信号送信部の通信可能範囲や指向性に関する情報等に基づいて赤外線信号の干渉が少ない配置となるように接続制御を行なうようになっていてもよい。また、電子機器において赤外線信号の受信強度を測定するために、リモコン装置に対して各赤外線信号送信部から受信強度測定用信号を重ならないように送信させるために命令を送信するようになっていてもよい。さらに、電子機器は受信強度の測定結果に応じて複数の赤外線信号受信部の一部又は全部を有効、又は無効にする制御を行なうようになっていてもよい。また、電子機器での受信強度の測定結果をリモコン装置にて取得し、取得した測定結果に応じて複数の赤外線信号送信部の一部又は全部を有効、又は無効にする制御を行なうようになっていてもよい。また、電子機器は受信強度の測定結果に基づいて、リモコン装置から送信される赤外線信号が電子機器の赤外線信号受信部に受信される経路がねじれ関係となっているか判断し、判断結果をリモコン装置に送信するようになっていてもよい。さらに、リモコン装置は電子機器からのねじれ関係の判断結果に基づいて、複数の赤外線信号源部と複数の赤外線信号送信部との接続制御を行なうようになっていてもよい。また、電子機器は受信した赤外線信号をその通信方式に応じて処理するための複数の受信信号処理部を備えていてもよく、複数の赤外線信号受信部と複数の受信信号処理部との接続制御を行なうようになっていてもよい。さらに、複数の赤外線信号受信部と複数の受信信号処理部との接続制御は、ねじれ関係の判断結果に基づいて行なうようになっていてもよい。
【発明の効果】
【０００７】
本発明のリモコンシステムによれば、リモコン装置にて複数の赤外線信号源部と複数の赤外線信号送信部との接続制御を行なうことができるので、例えば赤外線信号の干渉状態等によって最適な赤外線信号送信部から赤外線信号を送信することが可能である。同様に、電子機器において複数の赤外線信号受信部と複数の受信信号処理部との接続制御を行なう場合には、赤外線信号の干渉状態等によって最適な赤外線信号受信部から赤外線信号を受信することが可能である。
【発明を実施するための最良の形態】
【０００８】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、１２、１３などについて説明する。実施形態２は、主に請求項２などについて説明する。実施形態３は、主に請求項３などについて説明する。実施形態４は、主に請求項４などについて説明する。実施形態５は、主に請求項５、１４などについて説明する。実施形態６は、主に請求項６、１５などについて説明する。実施形態７は、主に請求項７、１６などについて説明する。実施形態８は、主に請求項８、１７などについて説明する。実施形態９は、主に請求項９、１８などについて説明する。実施形態１０は、主に請求項１０、１９などについて説明する。実施形態１１は、主に請求項１１、２０などについて説明する。
（実施形態１）
【０００９】
（実施形態１：概要）本実施形態は、リモコン装置と、このリモコン装置で操作される電子機器とから構成されるリモコンシステムであって、リモコン装置は、複数の赤外線信号送信部と複数の赤外線信号源部を有し、電子機器は、リモコン装置の複数の赤外線信号送信部に対応する赤外線信号受信部を有するリモコンシステムについて説明する。また、リモコン装置は複数の赤外線信号源部と複数の赤外線信号送信部との接続制御を行なうことが可能である。
【００１０】
（実施形態１：構成）本実施形態に係るリモコンシステムの機能ブロック図を図２に例示する。リモコンシステムは、リモコン装置（０２００）と、電子機器（０２２０）とから構成される。リモコン装置（０２００）は、遠隔操作専用の赤外線リモコンであってもよいし、赤外線信号を送受信可能な携帯電話等の携帯端末であってもよい。電子機器（０２２０）は、赤外線信号を送受信可能な電子機器であればよい。また、リモコン装置（０２００）と電子機器（０２２０）は互いに赤外線通信にて通信可能である。以下、リモコン装置（０２００）の構成と、電子機器（０２２０）の構成について説明する。
【００１１】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。また、そのようなソフトウェア（プログラム）を光ディスクなどの媒体に記録することも可能である。さらに具体的には、図３５は一般的なコンピュータの構成を例示する図でありコンピュータが主にＣＰＵ（３５１０）、入出力インタフェース（Ｉ／Ｏ）（３５２０）、ＨＤＤ（３５３０）、ＲＡＭ（３５４０）、ＲＯＭ（３５５０）等から構成されることを示しているが、本件発明に係るリモコン装置と電子機器は図３５と同様の構成により実現可能である。（本明細書の全体を通じて同様である）。（明細書の全体を通じて同様である。）
【００１２】
（実施形態１：リモコン装置の構成）リモコン装置（０２００）は、複数の赤外線信号送信部（０２０１）と、複数の赤外線信号源部（０２０２）と、送信接続制御部（０２０３）と、を有する。
【００１３】
「赤外線信号送信部」（０２０１）は、リモコン装置（０２００）に複数存在し、少なくとも同時動作可能である。「同時動作可能」とは、同時に複数の赤外線信号送信部が動作することを意味し、同時に同一の送信データを表す赤外線信号を送信してもよいし、同時に異なる送信データを表す赤外線信号を送信してもよい。また、同時動作が「可能」であるので、常に同時に動作しなくともよい。また、赤外線信号送信部は、例えば赤外線発光モジュールなどが該当する。赤外線発光モジュールの動作については、一般的によく知られている技術であるので詳細な説明は省略する。
【００１４】
「赤外線信号源部」（０２０２）は、リモコン装置（０２００）に複数存在し、赤外線信号を送信するための処理を行なう処理機構等が該当する。赤外線信号を送信するための処理とは、例えば送信データをシリアルデータとして保持するバッファリングや、シリアルデータを赤外線信号に変換する処理等が該当する。なお、これらの処理の一部のみを実行する処理機構等であってもよい。また、前記複数の赤外線信号源はお互いに異なる通信方式の信号源であってもよい。すなわち、それぞれが、リモコン信号、ＩｒＤＡ信号、ＩｒＳｉｍｐｌｅ信号などの通信方式の異なる赤外線信号を処理する処理機構等であってもよい。赤外線信号源部は、具体的には、例えばＲＡＭ等の所定の記憶領域に記憶されている音声データや画像データ等の送信データを読出し、通信方式に従って送信データを赤外線用信号に変調する。なお、変調された赤外線用信号は、前記赤外線信号送信部（０２０１）にて出力されることとなる。また、赤外線信号源部はこのような処理をＣＰＵに実行させるためのプログラムを含んでいてもよい。
【００１５】
「送信接続制御部」（０２０３）は、前記複数の赤外線信号源部（０２０２）と、前記複数の赤外線信号送信部（０２０１）と、の接続制御をする機能を有する。すなわち、送信接続制御部によって各赤外線信号送信部（０２０１）から、どの通信方式の赤外線信号を送信するかを切り換えること等が可能である。前記複数の赤外線信号送信部（０２０１）から複数の異なる通信方式の赤外線信号を送信するように接続制御してもよいし、一のみの通信方式の赤外線信号を送信するように接続制御してもよい。さらに、一のみの通信方式の赤外線信号を送信する場合には、各赤外線信号送信部（０２０１）から異なる送信データを表す赤外線信号を送信するようになっていてもよいし、各赤外線信号送信部（０２０１）の同期をとって同一の送信データを表す赤外線信号を送信するようになっていてもよい。また、接続を切断することにより前記赤外線信号送信部（０２０１）から赤外線信号が送信されないように制御するようになっていてもよい。
【００１６】
図３は、送信接続制御部における処理の一例を示す。図３においては、赤外線信号送信部（０３０１ａ、０３０１ｂ、０３０１ｃ、０３０１ｄ）が４つ、赤外線信号源部（０３０３ａ、０３０３ｂ）が２つである場合を例示している。また、赤外線信号源部（０３０３ａ、０３０３ｂ）はリモコン信号とＩｒＳｉｍｐｌｅ信号の処理機構等であるとする。送信接続制御部（０３０２）は、図３に例示するように、例えばスイッチングによって２つの赤外線信号源部と４つの赤外線信号送信部との接続を切り換えることができる。図３においては、赤外線信号送信部０３０１ａと赤外線信号送信部０３０１ｃがリモコン信号の処理機構等に接続されており、赤外線信号送信部０３０１ｂと赤外線信号送信部０３０１ｄがＩｒＳｉｍｐｌｅ信号の処理機構等に接続されている。よって、赤外線信号送信部０３０１ａと赤外線信号送信部０３０１ｃからはリモコン信号が送信され、赤外線信号送信部０３０１ｂと赤外線信号送信部０３０１ｄからはＩｒＳｉｍｐｌｅ信号が送信されることになる。また、送信接続制御部はこのような処理をＣＰＵに実行させるためのプログラムを含んでいてもよい。
【００１７】
（実施形態１：電子機器の構成）電子機器（０２２０）は、赤外線信号受信部（０２２１）を有する。
【００１８】
「赤外線信号受信部」（０２２１）は、赤外線信号を受信する機能を有し、リモコン装置（０２００）の複数の赤外線信号送信部（０２０１）にそれぞれ対応する。「リモコン装置の複数の赤外線信号送信部にそれぞれ対応する」とは、リモコン装置の赤外線信号送信部（０２０１）から送信される一以上の通信方式の赤外線信号を受信することができることを意味する。よって、リモコン装置の赤外線信号送信部（０２０１）の数と赤外線信号受信部の数は同数でなくともよい。例えば、２つの赤外線信号送信部（０２０１）から同一の通信方式の赤外線信号が送信される場合に一の赤外線信号受信部にて赤外線信号を受信してもよいし、１つの赤外線信号送信部（０２０１）から送信される赤外線信号を複数の赤外線信号受信部にて受信する等となっていてもよい。また、赤外線信号受信部は、例えば赤外線受光モジュールなどが該当する。赤外線受光モジュールの動作については、一般的によく知られている技術であるので詳細な説明は省略する。
【００１９】
（実施形態１：処理の流れ）図４は、本実施形態に係るリモコンシステムにおける処理の流れを示すシーケンス図を例示する。
【００２０】
最初に、ステップＳ０４０１において、リモコン装置にて複数の赤外線信号源部と複数の赤外線信号送信部との接続制御を行なう。この処理は、主に送信接続制御部によって実行される。次に、ステップＳ０４０２において、赤外線信号を送信する。この処理は、主に赤外線信号送信部によって実行される。次に、ステップＳ０４０３において、電子機器にて赤外線信号を受信する。この処理は、主に赤外線信号受信部によって実行される。
【００２１】
（実施形態１：効果）本実施形態に係るリモコンシステムは、リモコン装置にて複数の赤外線信号源部と複数の赤外線信号送信部との接続制御を行なうことにより、各赤外線信号送信部から送信する赤外線信号の切り換えが可能である。
（実施形態２）
【００２２】
（実施形態２：概要）本実施形態は、リモコン装置にて複数の赤外線信号源部と複数の赤外線信号送信部との接続制御を行なう際に、複数の赤外線信号送信部が一の電子機器に対して同じ赤外線信号を送信するように接続制御を行なうことを特徴とするリモコンシステムについて説明する。
【００２３】
（実施形態２：構成）本実施形態に係るリモコンシステムの機能ブロック図を図５に例示する。リモコンシステムは、リモコン装置（０５００）と、電子機器（０５２０）とから構成される。本実施形態に係るリモコンシステムは、実施形態１に説明のリモコンシステムの構成に、リモコン装置（０５００）の送信接続制御部に同一信号送信制御手段（０５０４）を加えた構成となっている。
【００２４】
（実施形態２：リモコン装置の構成）リモコン装置（０５００）は、複数の赤外線信号送信部（０５０１）と、複数の赤外線信号源部（０５０２）と、送信接続制御部（０５０３）と、を有する。また、前記送信接続制御部（０５０３）は、同一信号送信制御手段（０５０４）を有する。
【００２５】
「同一信号送信制御手段」（０５０４）は、リモコン装置（０５００）の複数の赤外線信号送信部（０５０１）のそれぞれが一の電子機器（０５２０）に対して同じ赤外線信号を送信するように制御する機能を有する。「同じ赤外線信号を送信する」とは、同じ送信データを表す赤外線信号を同時に送信するという意味である。よって、同一信号送信制御手段は、各赤外線信号送信部（０５０１）の同期をとるための処理も行なう。また、複数の赤外線信号送信部（０５０１）の全てでなくとも一部の赤外線信号送信部（０５０１）のみが同じ赤外線信号を送信し、他の赤外線信号送信部（０５０１）は赤外線信号を送信しないようになっていてもよい。
【００２６】
図６は、同一信号送信制御手段における処理の一例を示す。図６においては、赤外線信号送信部（０６０１ａ、０６０１ｂ、０６０１ｃ、０６０１ｄ）が４つ、赤外線信号源部（０６０３ａ、０６０３ｂ）が２つである場合を例示している。また、赤外線信号源部（０６０３ａ、０６０３ｂ）はリモコン信号とＩｒＳｉｍｐｌｅ信号の処理機構等であるとする。同一信号送信制御手段（０６０２）は、図６に例示するように、全ての赤外線信号送信０６０１ａ、０６０１ｂ、０６０１ｃ、０６０１ｄがリモコン信号の処理機構等に接続されている。よって、全ての赤外線信号送信部０６０１ａ、０６０１ｂ、０６０１ｃ、０６０１ｄからはリモコン信号が送信されることになる。
【００２７】
図３２は、同一信号送信制御手段によって期待される効果を表す一例図である。図３２においては、リモコン装置（３２００）の赤外線信号送信部３２０１ａからは赤外線信号が送信されず、赤外線信号送信部３２０１ｂ、３２０１ｃ、３２０１ｄから同じ赤外線信号が送信される場合を例示している。この場合、赤外線信号送信部３２０１ｂ、３２０１ｃ、３２０１ｄの通信可能範囲が重なり合うことにより、斜線で示された領域３２０２が通信可能範囲となるため、実質的に赤外線信号の通信可能範囲が拡大される。これにより、例えば一部の通信可能範囲が障害物等の存在により通信不可となっても他の通信可能範囲によって赤外線信号が到達できる可能性が高まることとなる。
【００２８】
（実施形態２：電子機器の構成）電子機器（０５２０）は、赤外線信号受信部（０５２１）を有する。電子機器（０５２０）の構成は、実施形態１に説明の電子機器の構成と同様である。
【００２９】
（実施形態２：処理の流れ）本実施形態に係るリモコンシステムにおける処理の流れは、図４に例示する実施形態１に係るリモコンシステムにおける処理の流れと同様である。ただし、ステップＳ０４０１において、複数の赤外線信号源部と複数の赤外線信号送信部との接続制御を行なう際に、複数の赤外線信号送信部が一の電子機器に対して同じ赤外線信号を送信するように接続制御を行なうことを特徴とする。
【００３０】
（実施形態２：効果）本実施形態に係るリモコンシステムは、リモコン装置の複数の赤外線信号送信部から同一の送信データを同時に送信することができるので、赤外線通信範囲が違いに重なりあうことで、より広い通信範囲にて一の送信データを送信できることになる。
（実施形態３）
【００３１】
（実施形態３：概要）本実施形態は、リモコン装置にて複数の赤外線信号源部と複数の赤外線信号送信部との接続制御を行なう際に、複数の赤外線信号送信部が一の電子機器に対して異なる赤外線信号を送信するように接続制御を行なうことを特徴とするリモコンシステムについて説明する。
【００３２】
（実施形態３：構成）本実施形態に係るリモコンシステムの機能ブロック図を図７に例示する。リモコンシステムは、リモコン装置（０７００）と、電子機器（０７２０）とから構成される。本実施形態に係るリモコンシステムは、実施形態１又は２に説明のリモコンシステムの構成に、リモコン装置（０７００）の送信接続制御部に異信号送信制御手段（０７０５）を加えた構成となっている。図７は、実施形態１に説明のリモコンシステムの構成に、上記構成要件を加えた構成を例示している。
【００３３】
（実施形態３：リモコン装置の構成）リモコン装置（０７００）は、複数の赤外線信号送信部（０７０１）と、複数の赤外線信号源部（０７０２）と、送信接続制御部（０７０３）と、を有する。また、前記送信接続制御部（０７０３）は、異信号送信制御手段（０７０５）を有する。さらに、前記送信接続制御部（０７０３）は、同一信号送信制御手段を有していてもよい。
【００３４】
「異信号送信制御手段」（０７０５）は、リモコン装置（０７００）の複数の赤外線信号送信部（０７０１）のそれぞれが一の電子機器（０７２０）に対して異なる赤外線信号を送信するように制御する機能を有する。「異なる赤外線信号」とは、その表す送信データが異なる赤外線信号であることを意味する。また、複数の赤外線信号送信部（０７０１）の全てでなくとも一部の赤外線信号送信部（０７０１）のみにて異なる赤外線信号を送信し、他の赤外線信号送信部（０７０１）は赤外線信号を送信しないようになっていてもよい。
【００３５】
図８は、異信号送信制御手段における処理の一例を示す。図８においては、赤外線信号送信部（０８０１ａ、０８０１ｂ、０８０１ｃ、０８０１ｄ）が４つ、赤外線信号源部（０８０３ａ、０８０３ｂ）が２つである場合を例示している。また、赤外線信号源部（０８０３ａ、０８０３ｂ）はリモコン信号とＩｒＳｉｍｐｌｅ信号の処理機構等であるとする。異信号送信制御手段（０８０２）によって、赤外線信号送信部０８０１ａと０８０１ｂがリモコン信号の処理機構等に接続され、赤外線信号送信部０８０１ｃがＩｒＳｉｍｐｌｅ信号の処理機構等に接続されている。また、赤外線信号送信部０８０１ｄは、接続が切断されており赤外線信号が送信されないようになっている。
【００３６】
（実施形態３：電子機器の構成）電子機器（０７２０）は、赤外線信号受信部（０７２１）を有する。電子機器（０７２０）の構成は、実施形態１又は２に説明の電子機器の構成と同様である。
【００３７】
（実施形態３：処理の流れ）本実施形態に係るリモコンシステムにおける処理の流れは、図４に例示する実施形態１に係るリモコンシステムにおける処理の流れと同様である。ただし、ステップＳ０４０１において、複数の赤外線信号源部と複数の赤外線信号送信部との接続制御を行なう際に、複数の赤外線信号送信部が一の電子機器に対して異なる赤外線信号を送信するように接続制御を行なうことを特徴とする。
【００３８】
（実施形態３：効果）本実施形態に係るリモコンシステムは、リモコン装置の複数の赤外線信号送信部から異なる送信データを同時に又は別々のタイミングにて送信することが可能である。
（実施形態４）
【００３９】
（実施形態４：概要）本実施形態は、リモコン装置にて複数の赤外線信号源部と複数の赤外線信号送信部との接続制御を行なう際に、赤外線信号送信部の通信可能範囲や指向性に関する情報等に基づいて赤外線信号の干渉が少ない配置となるように接続制御を行なうことを特徴とするリモコンシステムについて説明する。
【００４０】
（実施形態４：構成）本実施形態に係るリモコンシステムの機能ブロック図を図９に例示する。リモコンシステムは、リモコン装置（０９００）と、電子機器（０９２０）とから構成される。本実施形態に係るリモコンシステムは、実施形態１から３のいずれか一に説明のリモコンシステムの構成に、リモコン装置（０９００）の送信接続制御部に送信部属性情報保持手段（０９０６）と属性依存接続制御手段（０９０７）を加えた構成となっている。図９は、実施形態１に説明のリモコンシステムの構成に、これらの構成要件を加えた構成を例示している。
【００４１】
（実施形態４：リモコン装置の構成）リモコン装置（０９００）は、複数の赤外線信号送信部（０９０１）と、複数の赤外線信号源部（０９０２）と、送信接続制御部（０９０３）と、を有する。また、前記送信接続制御部（０９０３）は、送信部属性情報保持手段（０９０６）と、属性依存接続制御手段（０９０７）を有する。さらに、前記送信接続制御部（０９０３）は、同一信号送信制御手段、又は／及び異信号送信制御手段を有していてもよい。
【００４２】
「送信部属性情報保持手段」（０９０６）は、赤外線信号送信部（０９０１）の赤外線有効送信範囲情報を含む送信部属性情報を保持する機能を有する。赤外線有効送信範囲情報とは、例えば、赤外線の通信可能距離、通信可能角度、等が主に該当する。送信部属性情報は、赤外線有効送信範囲情報のみによって構成されていてもよいし、他の情報が含まれていてもよい。
【００４３】
図１０は、送信部属性情報の一例を示す。送信部属性情報は図１０（ａ）に例示するように、例えば「通信可能距離」と「通信可能角度」等の情報を含む。ここで、「通信可能距離」とは、図１０（ｂ）における赤外線信号送信部（１００１）から送信される赤外線が通信可能な距離Ｌを表し、「通信可能角度」とは、指向性を示す角度θを表す。図１０（ａ）の送信部属性情報においては、通信可能距離Ｌは７メートルであり、通信可能角度θは１５度であることを表している。送信部属性情報保持手段は、このような送信部属性情報をＲＡＭやＨＤＤ等の所定の記憶領域に保持することで実現される。
【００４４】
「属性依存接続制御手段」（０９０７）は、送信部属性情報保持手段（０９０６）に保持されている送信部属性情報に基づいて赤外線信号の干渉が少ない配置となるように前記複数の赤外線信号源部（０９０２）と、前記複数の赤外線信号送信部（０９０１）と、の接続制御をする機能を有する。
【００４５】
図３３は、属性依存接続制御手段における処理の一例を示す。図３３（ａ）に例示するように、２つの赤外線信号送信部（３３０１）の距離をｘとして、通信可能距離Ｌ、通信可能角度θ、とすると、長さα＝Ｌ×ｔａｎθであるので、ｘ<２αの時、２つの赤外線信号送信部（３３０１）の赤外線有効送信範囲が干渉することとなる。また、ｘ≧２αの時、２つの赤外線信号送信部（３３０１）の赤外線有効送信範囲は干渉しない。よって、図３３（ｂ）に例示するように、リモコン装置（３３００）が４つの赤外線信号送信部（３３０１ａ、３３０１ｂ、３３０１ｃ、３３０１ｄ）を備えている時、互いの赤外線信号送信部の距離は物理的に不変であり既知であると思われるので、例えば、赤外線信号送信部３３０１ａと３３０１ｃの距離<２α、となってしまう場合には赤外線信号が干渉してしまうので、図３３（ｃ）に例示するように、３３０１ａと３３０１ｄから赤外線信号を送信する等の制御を行なう。
【００４６】
（実施形態４：電子機器の構成）電子機器（０９２０）は、赤外線信号受信部（０９２１）を有する。電子機器（０９２０）の構成は、実施形態１から３のいずれか一に説明の電子機器の構成と同様である。
【００４７】
（実施形態４：処理の流れ）本実施形態に係るリモコンシステムにおける処理の流れは、図４に例示する実施形態１に係るリモコンシステムにおける処理の流れと同様である。ただし、ステップＳ０４０１において、複数の赤外線信号源部と複数の赤外線信号送信部との接続制御を行なう際に、赤外線信号送信部の通信可能範囲や指向性に関する情報等に基づいて赤外線信号の干渉が少ない配置となるように接続制御を行なうことを特徴とする。
【００４８】
（実施形態４：効果）本実施形態に係るリモコンシステムは、リモコン装置の複数の赤外線信号送信部から送信される赤外線信号の干渉が少ないように赤外線信号源部と赤外線信号送信部の接続制御を行なうことができるので、例えば複数の赤外線信号送信部から異なる送信データを同時送信しても各々の送信データが正確に伝送される可能性が高くなる。
（実施形態５）
【００４９】
（実施形態５：概要）本実施形態は、電子機器において赤外線信号の受信強度を測定するために、リモコン装置に対して、各赤外線信号送信部から受信強度測定用信号を重ならないように送信するように命令を送信することが可能なリモコンシステムについて説明する。
【００５０】
（実施形態５：構成）本実施形態に係るリモコンシステムの機能ブロック図を図１１に例示する。リモコンシステムは、リモコン装置（１１００）と、電子機器（１１２０）とから構成される。本実施形態に係るリモコンシステムは、実施形態１から４のいずれか一に説明のリモコンシステムの構成に加えて、電子機器（１１２０）が受信強度測定用信号送信命令出力部（１１２２）と受信強度測定部（１１２３）を有し、リモコン装置（１１００）が受信強度測定用信号送信制御部（１１０８）を有する。図１１は、実施形態１に説明のリモコンシステムの構成に、これらの構成要件を加えた構成を例示している。
【００５１】
（実施形態５：リモコン装置の構成）リモコン装置（１１００）は、複数の赤外線信号送信部（１１０１）と、複数の赤外線信号源部（１１０２）と、送信接続制御部（１１０３）と、受信強度測定用信号送信制御部（１１０８）と、を有する。さらに、前記送信接続制御部（１１０３）は、同一信号送信制御手段、又は／及び異信号送信制御手段を有していてもよい。また、以上の各構成は各々がさらに、前記送信接続制御部（１１０３）が送信部属性情報保持手段と属性依存接続制御手段を有する構成であってもよい。
【００５２】
「受信強度測定用信号送信制御部」（１１０８）は、受信した受信強度測定用信号送信命令に応じてそれぞれの赤外線信号送信部（１１０１）から受信強度測定用信号を重ならないように送信させる機能を有する。「受信した受信強度測定用信号送信命令」とは、後に詳述する電子機器（１１２０）の受信強度測定用信号送信命令出力部（１１２２）から出力される受信強度測定用信号送信命令を指し、電子機器からリモコン装置に対して受信強度測定用信号を送信することを命令する情報である。
【００５３】
図１２は、受信強度測定用信号送信命令の一例を示す。受信強度測定用信号送信命令は、例えば「ｃｏｍｍａｎｄ＝‘ｔｅｓｔ＿ｓｉｇｎａｌ’」というような情報により実現される。ここで、「ｃｏｍｍａｎｄ」は、電子機器からリモコン装置に対しての命令内容を表すためのプログラム上の変数であり、この変数の値は命令内容を表す。すなわち、ここでは「ｔｅｓｔ＿ｓｉｇｎａｌ」という値により、電子機器からリモコン装置に対して受信強度測定用信号を送信することを命令する内容となっている。
【００５４】
また、「受信強度測定用信号」とは、電子機器にてリモコン装置から送信される赤外線信号の受信強度を測定するための赤外線信号であり、例えば予め決められた特殊なテスト用データを送信する赤外線信号であれば、受信強度測定用の赤外線信号であることが判別できるので好都合であると思われる。「受信強度測定用信号を重ならないように送信させる」とは、複数の受信強度測定用信号が干渉しないように送信させることを意味し、例えば複数の赤外線信号送信部から時間をずらして順番に受信強度測定用信号を送信すれば干渉することがない。また、複数の赤外線信号送信部から送信される赤外線信号どうしが干渉しないような位置関係にある場合には、複数の赤外線信号送信部から同時に受信強度測定用信号を送信するようになっていてもよい。また、受信強度測定用信号を送信する際には赤外線信号送信部から送信している他の赤外線通信は一時停止するようになっていてもよい。他の赤外線通信と受信強度測定用信号が干渉することを防ぐためである。また、受信強度測定用信号送信制御部が受信強度測定用信号送信命令を受信するための通信は、赤外線通信に限る必要はない。有線通信によってもよいし無線通信によってもよい。無線通信であれば、赤外線通信以外にもＢｌｕｅｔｏｏｔｈ（登録商標）、無線ＬＡＮ等であってもよい。受信強度測定用信号送信制御部の具体的な処理としては、例えば、通信インタフェースを介して受信強度測定用信号送信命令を受信したことをトリガーとして、複数の赤外線信号送信部にて行なっている赤外線信号の送信を一時停止するとともに、タイマーを０にリセットしてスタートさせる。一の赤外線信号送信部に対して受信強度測定用信号を送信する命令を出力することにより、一の赤外線信号送信部から受信強度測定用信号を送信される。タイマーが所定の値に達すると、タイマーを０にリセットしてスタートさせるとともに、別の赤外線信号送信部に対して受信強度測定用信号を送信する命令を出力する。タイマーが所定の値に達すると、タイマーを０にリセットしてスタートさせるとともに、さらに別の赤外線信号送信部に対して受信強度測定用信号を送信する命令を出力する、ということを全ての赤外線信号送信部に対して繰り返す。また、受信強度測定用信号送信制御部はこのような処理をＣＰＵに実行させるためのプログラムを含んでいてもよい。
【００５５】
（実施形態５：電子機器の構成）電子機器（１１２０）は、赤外線信号受信部（１１２１）と、受信強度測定用信号送信命令出力部（１１２２）と、受信強度測定部（１１２３）と、を有する。
【００５６】
「受信強度測定用信号送信命令出力部」（１１２２）は、リモコン装置（１１００）に対して受信強度測定用信号送信命令を出力する機能を有する。受信強度測定用信号送信命令出力部が受信強度測定用信号送信命令を送信するための通信は、有線通信によってもよいし無線通信によってもよい。無線通信であれば、赤外線通信以外にもＢｌｕｅｔｏｏｔｈ（登録商標）、無線ＬＡＮ等であってもよい。また、赤外線通信にて受信強度測定用信号送信命令を送信する場合には、複数の赤外線送信モジュール等から一度に送信するようになっていてもよい。確実にリモコン装置（１１００）に受信強度測定用信号送信命令が伝送されるようにするためである。受信強度測定用信号送信命令出力部の具体的な処理としては、例えば、ＲＡＭ等の所定の記憶領域から受信強度測定用信号送信命令を読出し、読出した受信強度測定用信号送信命令を通信インタフェースを介して送信する。また、受信強度測定用信号送信命令出力部はこのような処理をＣＰＵに実行させるためのプログラムを含んでいてもよい。
【００５７】
「受信強度測定部」（１１２３）は、送信された受信強度測定用信号送信命令に応じてリモコン装置（１１００）から送信される複数の受信強度測定用信号を赤外線信号受信部（１１２１）にて受信して、それぞれに対して同等の利得制御を実行して複数の受信強度測定用信号の受信強度を測定する機能を有する。「送信された受信強度測定用信号送信命令」とは、受信強度測定用信号送信命令出力部（１１２２）から送信された受信強度測定用信号送信命令を指す。「同等の利得制御を実行して」とは、利得（ゲイン）制御を全ての受信強度測定用信号に対して同率にて行なう場合や、全く行なわない場合等が該当する。従来のように受信した赤外線信号に自動ゲインコントロール（ＡＣＧ）をかけると赤外線信号の振幅を一定の振幅まで増幅してしまうため、実際の受信強度がどれくらいであるかが分からなくなってしまう。よって、全ての受信強度測定用信号に対して全く増幅を行なわなければ実際の受信強度が測定できる。また、全ての受信強度測定用信号を２倍にする等、同率にて利得制御を行なえば、相対的な受信強度を測定することが可能である。受信強度は、例えば「ｍＷ／ｓｒ（ミリワット／ステラジアン）」等の単位を用いて示される値であってもよいし、さらに例えばその値を１０段階の受信強度レベルに変換することにより特別な受信強度指数として表す等となっていてもよい。受信強度測定部の具体的な処理としては、まず、赤外線信号受信部にて受信強度測定用信号を受信し、受信した受信強度測定用信号に対して利得制御を行ない、その結果をＲＡＭやＨＤＤ等の所定の記憶領域に格納する。これを各赤外線信号受信部について繰り返す。また、受信強度測定部はこのような処理をＣＰＵに実行させるためのプログラムを含んでいてもよい。
【００５８】
（実施形態５：処理の流れ）図１３は、本実施形態に係るリモコンシステムにおける処理の流れを示すシーケンス図を例示する。
【００５９】
最初に、ステップＳ１３０１において、リモコン装置にて複数の赤外線信号源部と複数の赤外線信号送信部との接続制御を行なう。この処理は、主に送信接続制御部によって実行される。次に、ステップＳ１３０４において、電子機器にてリモコン装置に対して受信強度測定用信号送信命令を送信する。この処理は、主に受信強度測定用信号送信命令出力部によって実行される。次に、ステップＳ１３０５において、リモコン装置にて受信強度測定用信号送信命令を受信する。この処理は、主に受信強度測定用信号送信制御部によって実行される。次に、ステップ１３０６において、それぞれの赤外線信号送信部から受信強度測定用信号を重ならないように送信する。この処理は、主に赤外線信号送信部によって実行される。次に、ステップＳ１３０７において、電子機器にて複数の受信強度測定用信号を受信する。この処理は、主に赤外線信号受信部によって実行される。次に、ステップＳ１３０８において、それぞれの受信強度測定用信号に対して同等の利得制御を実行して受信強度を測定する。この処理は、主に受信強度測定部によって実行される。
【００６０】
（実施形態５：効果）本実施形態に係るリモコンシステムは、リモコン装置の複数の赤外線信号送信部からそれぞれ受信強度測定用信号を送信することにより、電子機器において各赤外線信号の受信強度を測定することができる。これにより、例えば、複数の赤外線信号受信部にて同じ赤外線信号を受信している場合であって受信感度が高い場合には、一部の赤外線信号受信部のみを動作させたり、一部の赤外線信号受信部のみを動作させたりする等してリモコン装置や電子機器における消費エネルギーを下げること等が可能である。また、
（実施形態６）
【００６１】
（実施形態６：概要）本実施形態は、電子機器において受信強度の測定結果に応じて複数の赤外線信号受信部の一部又は全部を有効、又は無効にする制御を行なうことを特徴とするリモコンシステムについて説明する。
【００６２】
（実施形態６：構成）本実施形態に係るリモコンシステムの機能ブロック図を図１４に例示する。リモコンシステムは、リモコン装置（１４００）と、電子機器（１４２０）とから構成される。本実施形態に係るリモコンシステムは、実施形態５に説明のリモコンシステムの構成に加えて、電子機器（１４２０）が第一有効性制御部（１４２４）を有する。
【００６３】
（実施形態６：リモコン装置の構成）リモコン装置（１４００）は、複数の赤外線信号送信部（１４０１）と、複数の赤外線信号源部（１４０２）と、送信接続制御部（１４０３）と、受信強度測定用信号送信制御部（１４０８）と、を有する。さらに、前記送信接続制御部（１４０３）は、同一信号送信制御手段、又は／及び異信号送信制御手段を有していてもよい。また、以上の各構成は各々がさらに、前記送信接続制御部（１４０３）が送信部属性情報保持手段と属性依存接続制御手段を有する構成であってもよい。リモコン装置（１４００）の構成は、実施形態５に説明のリモコン装置の構成と同様である。
【００６４】
（実施形態６：電子機器の構成）電子機器（１４２０）は、赤外線信号受信部（１４２１）と、受信強度測定用信号送信命令出力部（１４２２）と、受信強度測定部（１４２３）と、第一有効性制御部（１４２４）と、を有する。
【００６５】
「第一有効性制御部」（１４２４）は、受信強度測定部（１４２３）での測定結果に応じて複数の赤外線信号受信部（１４２１）の一部又は全部を有効にし、又は無効にする機能を有する。「受信強度測定部での測定結果に応じて複数の赤外線信号受信部の一部又は全部を有効にし、又は無効にする」とは、例えば同じ赤外線信号を受信している２つの赤外線信号受信部（１４２１）における受信強度が両方とも一定の閾値以上の値である場合には、両方の赤外線信号は他の赤外線信号と干渉していないと判断し、２つの赤外線信号受信部のうち一方を無効として、他方のみで赤外線信号を受信するような場合である。これにより、電子機器（１４２０）における消費エネルギーを低くすること等が可能となる。
【００６６】
図３４にて、第一有効性制御部における処理の具体例を示す。図３４（ａ）に例示するように、リモコン装置（３４００）は４つの赤外線信号送信部（Ｓ１、Ｓ２、Ｓ３、Ｓ４）を備えており、電子機器（３４１０）は、４つの赤外線信号受信部（Ｒ１、Ｒ２、Ｒ３、Ｒ４）を備えているとする。また、各赤外線信号送信部（Ｓ１、Ｓ２、Ｓ３、Ｓ４）から順番に受信強度測定用信号を送信し、送信された受信強度測定用信号を各赤外線信号受信部（Ｒ１、Ｒ２、Ｒ３、Ｒ４）にて受信して測定した受信強度の結果が図３４（ｂ）に示すような値であったとする。ここで、閾値を０．７とし、受信強度が０．７以上であった場合には赤外線信号が有効であり、受信強度が０．７未満であった場合には赤外線信号が無効であったとする。ここで、例えば赤外線信号を送信している赤外線信号送信部がＳ２のみであったとすると、赤外線信号受信部Ｒ１、Ｒ２、Ｒ３において赤外線信号が受信可能であるので、例えば赤外線信号受信部Ｒ２のみを有効として、Ｒ１、Ｒ２は無効とすれば消費エネルギーの節約になる。また、例えば赤外線信号送信部Ｓ２とＳ３から異なる赤外線信号を送信している場合には、赤外線信号受信部Ｒ２とＲ３を有効にしても互いの赤外線信号が干渉することとなるので、Ｒ１とＲ４を有効にすればよい。
【００６７】
また、「有効」とは赤外線信号受信部（１４２１）が赤外線信号を受信できる状態であることを意味し、「無効」とは赤外線信号受信部（１４２１）が赤外線信号を受信できない状態であることを意味する。赤外線信号受信部を無効にする場合としては、例えば赤外線信号受信部への電源供給を停止することにより赤外線信号受信部自体を作動しないようにする場合の他、赤外線信号受信部にて受信した赤外線信号を処理するための処理機構への接続を切断することにより実質的に無効とするような場合であってもよい。第一有効性制御部の具体的な処理としては、例えば受信強度測定部によりＲＡＭやＨＤＤ等の所定の記憶領域に格納されている受信強度と、閾値を読出して比較する。比較結果をＲＡＭ等の所定の記憶領域に格納する。さらに、ＲＡＭ等の所定の記憶領域から比較結果を読出し、比較結果に応じて所定の赤外線信号受信部への電源供給を停止する処理を行なう。また、第一有効性制御部はこのような処理をＣＰＵに実行させるためのプログラムを含んでいてもよい。
【００６８】
（実施形態６：処理の流れ）図１５は、本実施形態に係るリモコンシステムにおける処理の流れを示すシーケンス図を例示する。
【００６９】
最初に、ステップＳ１５０１において、リモコン装置にて複数の赤外線信号源部と複数の赤外線信号送信部との接続制御を行なう。この処理は、主に送信接続制御部によって実行される。次に、ステップＳ１５０４において、電子機器にてリモコン装置に対して受信強度測定用信号送信命令を送信する。この処理は、主に受信強度測定用信号送信命令出力部によって実行される。次に、ステップＳ１５０５において、リモコン装置にて受信強度測定用信号送信命令を受信する。この処理は、主に受信強度測定用信号送信制御部によって実行される。次に、ステップ１５０６において、それぞれの赤外線信号送信部から受信強度測定用信号を重ならないように送信する。この処理は、主に赤外線信号送信部によって実行される。次に、ステップＳ１５０７において、電子機器にて複数の受信強度測定用信号を受信する。この処理は、主に赤外線信号受信部によって実行される。次に、ステップＳ１５０８において、それぞれの受信強度測定用信号に対して同等の利得制御を実行して受信強度を測定する。この処理は、主に受信強度測定部によって実行される。次に、ステップＳ１５０９において、受信強度の測定結果に応じて複数の赤外線信号受信部の一部又は全部を有効にし、又は無効にする。この処理は、主に第一有効性制御部によって実行される。
【００７０】
（実施形態６：効果）本実施形態に係るリモコンシステムは、電子機器において受信強度測定部での測定結果に応じてそれぞれの赤外線信号受信部を有効又は無効にすることができるので、例えば赤外線信号の受信強度が強い場合には、一部の赤外線信号受信部を無効にすることで電子機器における消費エネルギーを低くすること等が可能である。
（実施形態７）
【００７１】
（実施形態７：概要）本実施形態は、電子機器での受信強度の測定結果をリモコン装置にて取得し、取得した測定結果に応じて複数の赤外線信号送信部の一部又は全部を有効、又は無効にする制御を行なうことを特徴とするリモコンシステムについて説明する。
【００７２】
（実施形態７：構成）本実施形態に係るリモコンシステムの機能ブロック図を図１６に例示する。リモコンシステムは、リモコン装置（１６００）と、電子機器（１６２０）とから構成される。本実施形態に係るリモコンシステムは、実施形態５又は６に説明のリモコンシステムの構成に加えて、リモコン装置（１６００）が測定結果取得部（１６０９）を有し、送信接続制御部（１６０３）が第二有効性制御手段（１６１０）を有する。図１６は、実施形態５に説明のリモコンシステムの構成に、これらの構成要件を加えた構成を例示している。
【００７３】
（実施形態７：リモコン装置の構成）リモコン装置（１６００）は、複数の赤外線信号送信部（１６０１）と、複数の赤外線信号源部（１６０２）と、送信接続制御部（１６０３）と、受信強度測定用信号送信制御部（１６０８）と、測定結果取得部（１６０９）と、を有する。また、送信接続制御部（１６０３）は、第二有効性制御手段（１６１０）を有する。さらに、前記送信接続制御部（１６０３）は、同一信号送信制御手段、又は／及び異信号送信制御手段を有していてもよい。また、以上の各構成は各々がさらに、前記送信接続制御部（１６０３）が送信部属性情報保持手段と属性依存接続制御手段を有する構成であってもよい。
【００７４】
「測定結果取得部」（１６０９）は、電子機器の受信強度測定部（１６２３）での測定結果を取得する機能を有する。すなわち、通信等により電子機器（１６２０）の受信強度測定部（１６２３）にて測定された測定結果が送信等され、測定結果取得部にて取得される。測定結果を送信する場合には、有線通信によって送信してもよいし無線通信によって送信してもよい。無線通信であれば、赤外線通信以外にもＢｌｕｅｔｏｏｔｈ（登録商標）、無線ＬＡＮ等であってもよい。測定結果取得部の具体的な処理としては、例えば通信インタフェースを介して取得した受信強度をＲＡＭやＨＤＤ等の所定の記憶領域に格納する。また、測定結果取得部はこのような処理をＣＰＵに実行させるためのプログラムを含んでいてもよい。
【００７５】
「第二有効性制御手段」（１６１０）は、取得した測定結果に応じて複数の赤外線信号送信部（１６０１）の一部又は全部を有効にし、又は無効にする機能を有する。「取得した測定結果に応じて複数の赤外線信号送信部の一部又は全部を有効にし、又は無効にする」とは、例えば異なる赤外線信号を複数の赤外線信号送信部（１６０１）から送信する場合には、互いに干渉しないと判断される赤外線信号送信部（１６０１）のみを有効にし、他の赤外線信号送信部（１６０１）を無効にするような場合である。これにより、リモコン装置（１６００）における消費エネルギーを低くすること等が可能となる。
【００７６】
図３４にて、第二有効性制御手段における処理の具体例を示す。図３４（ａ）に例示するように、リモコン装置（３４００）は４つの赤外線信号送信部（Ｓ１、Ｓ２、Ｓ３、Ｓ４）を備えており、電子機器（３４１０）は、４つの赤外線信号受信部（Ｒ１、Ｒ２、Ｒ３、Ｒ４）を備えているとする。また、各赤外線信号送信部（Ｓ１、Ｓ２、Ｓ３、Ｓ４）から順番に受信強度測定用信号を送信し、送信された受信強度測定用信号を各赤外線信号受信部（Ｒ１、Ｒ２、Ｒ３、Ｒ４）にて受信して測定した受信強度の結果が図３４（ｂ）に示すような値であったとする。ここで、閾値を０．７とし、受信強度が０．７以上であった場合には赤外線信号が有効であり、受信強度が０．７未満であった場合には赤外線信号が無効であったとする。ここで、２つの異なる赤外線信号を同時に送信する場合には、赤外線信号送信部Ｓ１とＳ３、又はＳ１とＳ４、又はＳ２とＳ４によって送信すれば、互いの赤外線信号が干渉しないこととなる。
【００７７】
また、「有効」とは赤外線信号送信部（１６０１）が赤外線信号を送信できる状態であることを意味し、「無効」とは赤外線信号送信部（１６０１）が赤外線信号を送信できない状態であることを意味する。赤外線信号送信部を無効にする場合としては、例えば赤外線信号送信部への電源供給を停止することにより赤外線信号送信部自体を作動しないようにする場合の他、赤外線信号送信部にて受信した赤外線信号を処理するための処理機構への接続を切断することにより実質的に無効とするような場合であってもよい。第二有効性制御手段の具体的な処理としては、例えば測定結果取得部によってＲＡＭやＨＤＤ等の所定の記憶領域に格納されている受信強度と、閾値を読出して比較する。比較結果をＲＡＭ等の所定の記憶領域に格納する。さらに、ＲＡＭ等の所定の記憶領域から比較結果を読出し、比較結果に応じて所定の赤外線信号送信部への電源供給を停止する処理を行なう。また、第二有効性制御手段はこのような処理をＣＰＵに実行させるためのプログラムを含んでいてもよい。
【００７８】
（実施形態７：電子機器の構成）電子機器（１６２０）は、赤外線信号受信部（１６２１）と、受信強度測定用信号送信命令出力部（１６２２）と、受信強度測定部（１６２３）と、を有する。さらに、電子機器（１６２０）は第一有効性制御部を有していてもよい。すなわち、電子機器（１６２０）の構成は、実施形態５又は６に説明の電子機器の構成と同様である。
【００７９】
（実施形態７：処理の流れ）図１７は、本実施形態に係るリモコンシステムにおける処理の流れを示すシーケンス図を例示する。
【００８０】
最初に、ステップＳ１７０１において、リモコン装置にて複数の赤外線信号源部と複数の赤外線信号送信部との接続制御を行なう。この処理は、主に送信接続制御部によって実行される。次に、ステップＳ１７０４において、電子機器にてリモコン装置に対して受信強度測定用信号送信命令を送信する。この処理は、主に受信強度測定用信号送信命令出力部によって実行される。次に、ステップＳ１７０５において、リモコン装置にて受信強度測定用信号送信命令を受信する。この処理は、主に受信強度測定用信号送信制御部によって実行される。次に、ステップ１７０６において、それぞれの赤外線信号送信部から受信強度測定用信号を重ならないように送信する。この処理は、主に赤外線信号送信部によって実行される。次に、ステップＳ１７０７において、電子機器にて複数の受信強度測定用信号を受信する。この処理は、主に赤外線信号受信部によって実行される。次に、ステップＳ１７０８において、それぞれの受信強度測定用信号に対して同等の利得制御を実行して受信強度を測定する。この処理は、主に受信強度測定部によって実行される。次に、ステップＳ１７０９において、受信強度の測定結果を出力する。次に、ステップＳ１７１０において、リモコン装置にて受信強度の測定結果を取得する。この処理は、主に測定結果取得部によって実行される。次に、ステップＳ１７１１において、取得した測定結果に応じて複数の赤外線信号送信部の一部又は全部を有効にし、又は無効にする。この処理は、主に第二有効性制御手段によって実行される。
【００８１】
（実施形態７：効果）本実施形態に係るリモコンシステムは、リモコン装置において、電子機器での受信強度の測定結果に応じてそれぞれの赤外線信号送信部を有効又は無効にすることができるので、例えば赤外線信号の受信強度が強い場合には、一部の赤外線信号送信部を無効にすることでリモコン装置における消費エネルギーを低くすること等が可能である。リモコン装置はバッテリーで駆動する場合も多いため、特に効果的である。
（実施形態８）
【００８２】
（実施形態８：概要）本実施形態は、電子機器は受信強度の測定結果に基づいて、リモコン装置から送信される赤外線信号が電子機器の赤外線信号受信部に受信される経路がねじれ関係となっているか判断し、判断結果をリモコン装置に送信することを特徴とするリモコンシステムについて説明する。
【００８３】
（実施形態８：構成）本実施形態に係るリモコンシステムの機能ブロック図を図１８に例示する。リモコンシステムは、リモコン装置（１８００）と、電子機器（１８２０）とから構成される。本実施形態に係るリモコンシステムは、実施形態５から７のいずれか一に説明のリモコンシステムの構成に加えて、電子機器（１８２０）がねじれ関係判断部（１８２５）とねじれ関係判断結果送信部（１８２６）を有する。図１８は、実施形態５に説明のリモコンシステムの構成に、これらの構成要件を加えた構成を例示している。
【００８４】
（実施形態８：リモコン装置の構成）リモコン装置（１８００）は、複数の赤外線信号送信部（１８０１）と、複数の赤外線信号源部（１８０２）と、送信接続制御部（１８０３）と、受信強度測定用信号送信制御部（１８０８）と、を有する。さらに、リモコン装置（１８００）が測定結果取得部を、送信接続制御部（１８０３）が第二有効性制御手段を有していてもよい。また、以上の各構成は各々がさらに、前記送信接続制御部（１８０３）は、同一信号送信制御手段、又は／及び異信号送信制御手段を有していてもよい。また、以上の各構成は各々がさらに、前記送信接続制御部（１８０３）が送信部属性情報保持手段と属性依存接続制御手段を有する構成であってもよい。すなわち、リモコン装置（１８００）の構成は、実施形態５から７のいずれか一に説明のリモコン装置の構成と同様である。
【００８５】
（実施形態８：電子機器の構成）電子機器（１８２０）は、赤外線信号受信部（１８２１）と、受信強度測定用信号送信命令出力部（１８２２）と、受信強度測定部（１８２３）と、ねじれ関係判断部（１８２５）と、ねじれ関係判断結果送信部（１８２６）と、を有する。さらに、電子機器（１８２０）は第一有効性制御部を有していてもよい。
【００８６】
「ねじれ関係判断部」（１８２５）は、受信強度測定部（１８２３）での受信強度測定結果に基づいてリモコン装置（１８００）の複数の赤外線信号送信部（１８０１）から送信される赤外線信号が、電子機器（１８２０）の赤外線信号受信部（１８２１）に受信される経路がねじれ関係となっているか判断する機能を有する。「ねじれ関係」とは、例えば図１９（ａ）のような状態であることを意味する。リモコン装置（１９００）の複数の赤外線信号送信部（１９０１ａ、１９０１ｂ、１９０１ｃ、１９０１ｄ）のうち、赤外線信号送信部１９０１ｂからＩｒＳｉｍｐｌｅ信号が、赤外線信号送信部１９０１ｃからリモコン信号が送信されているとする。また、電子機器（１９１０）の赤外線信号受信部１９１１ａが赤外線信号送信部１９０１ｃから送信されるリモコン信号を受信し、赤外線信号受信部１９１１ｂが赤外線信号送信部１９０１ｂから送信されるＩｒＳｉｍｐｌｅ信号を受信するとする。このような場合、赤外線信号送信部と赤外線信号受信部との位置関係によりリモコン信号とＩｒＳｉｍｐｌｅ信号の経路がねじれた関係になる。また、双方とも同じ通信方式の赤外線信号であっても、異なる送信データを赤外線信号にて送信している場合には、問題が発生する。すなわち、このようなねじれ関係になっていると互いに異なる赤外線信号が広範囲にわたり干渉することとなり、送信データが壊れてしまう可能性が高くなるからである。また、各赤外線信号送信部（Ｓ２、Ｓ３）から順番に受信強度測定用信号を送信し、送信された受信強度測定用信号を各赤外線信号受信部（Ｒ１、Ｒ２）にて受信して測定した受信強度の結果が図１９（ｂ）に示すような値であったとする。このような場合、「受信強度測定部での受信強度測定結果に基づいて」とは、例えば受信強度が高くなるような赤外線信号送信部と赤外線信号受信部の組み合わせ（図１９におけるＳ２とＲ１、Ｓ３とＲ２）以外の組み合わせ（図１９におけるＳ２とＲ２、Ｓ３とＲ１）により赤外線信号の送受信が行なわれている場合をねじれ関係であると判断してもよい。なぜなら、赤外線通信を行なう場合には受信強度がより強くなるような赤外線信号送信部と赤外線信号受信部の組み合わせでもって通信を行なうのが通常であるが、ねじれ関係が発生する場合とは、通信の途中でリモコン装置を裏返しにしてしまう等の理由により発生すると想定されるからである。ねじれ関係判断部の具体的な処理としては、例えば受信強度測定部によりＲＡＭやＨＤＤ等の所定の記憶領域に格納されている受信強度と、閾値を読出して比較する。比較結果をＲＡＭ等の所定の記憶領域に格納する。さらに、ＲＡＭ等の所定の記憶領域から比較結果を読出し、比較結果に応じてねじれ関係であるか否かを判断し、判断結果をＲＡＭ等の所定の記憶領域に格納する。また、ねじれ関係判断部はこのような処理をＣＰＵに実行させるためのプログラムを含んでいてもよい。
【００８７】
「ねじれ関係判断結果送信部」（１８２６）は、ねじれ関係判断部（１８２５）での判断結果をリモコン装置（１８００）に送信する機能を有する。判断結果をリモコン装置（１８００）に送信するための通信は、有線通信によってもよいし無線通信によってもよい。無線通信であれば、赤外線通信以外にもＢｌｕｅｔｏｏｔｈ（登録商標）、無線ＬＡＮ等であってもよい。ねじれ関係判断結果送信部の具体的な処理としては、例えば、ＲＡＭ等の所定の記憶領域からねじれ関係の判断結果を読出し、読出した判断結果を通信インタフェースを介して送信する。また、ねじれ関係判断結果送信部はこのような処理をＣＰＵに実行させるためのプログラムを含んでいてもよい。
【００８８】
（実施形態８：処理の流れ）図２０は、本実施形態に係るリモコンシステムにおける処理の流れを示すシーケンス図を例示する。
【００８９】
最初に、ステップＳ２００１において、リモコン装置にて複数の赤外線信号源部と複数の赤外線信号送信部との接続制御を行なう。この処理は、主に送信接続制御部によって実行される。次に、ステップＳ２００４において、電子機器にてリモコン装置に対して受信強度測定用信号送信命令を送信する。この処理は、主に受信強度測定用信号送信命令出力部によって実行される。次に、ステップＳ２００５において、リモコン装置にて受信強度測定用信号送信命令を受信する。この処理は、主に受信強度測定用信号送信制御部によって実行される。次に、ステップ２００６において、それぞれの赤外線信号送信部から受信強度測定用信号を重ならないように送信する。この処理は、主に赤外線信号送信部によって実行される。次に、ステップＳ２００７において、電子機器にて複数の受信強度測定用信号を受信する。この処理は、主に赤外線信号受信部によって実行される。次に、ステップＳ２００８において、それぞれの受信強度測定用信号に対して同等の利得制御を実行して受信強度を測定する。この処理は、主に受信強度測定部によって実行される。次に、ステップＳ２０１２において、受信強度測定結果に基づいてリモコン装置の複数の赤外線信号送信部から送信される赤外線信号が、電子機器の赤外線信号受信部に受信される経路がねじれ関係となっているか判断する。この処理は、ねじれ関係判断部によって実行される。次に、ステップＳ２０１３において、ねじれ関係の判断結果をリモコン装置に送信する。この処理は、主にねじれ関係判断結果送信部によって実行される。
【００９０】
（実施形態８：効果）本実施形態に係るリモコンシステムは、電子機器が受信強度の測定結果に基づいて、リモコン装置から送信される赤外線信号が電子機器の赤外線信号受信部に受信される経路がねじれ関係となっているか判断し、判断結果をリモコン装置に送信することができるので、例えばリモコン装置において、赤外線信号送信部における通信方式を変更することによりねじれ関係を解消する等の処理を実行することができる。
（実施形態９）
【００９１】
（実施形態９：概要）本実施形態は、リモコン装置は電子機器からのねじれ関係の判断結果に基づいて、複数の赤外線信号源部と複数の赤外線信号送信部との接続制御を行なうことを特徴とするリモコンシステムについて説明する。
【００９２】
（実施形態９：構成）本実施形態に係るリモコンシステムの機能ブロック図を図２１に例示する。リモコンシステムは、リモコン装置（２１００）と、電子機器（２１２０）とから構成される。本実施形態に係るリモコンシステムは、実施形態８に説明のリモコンシステムの構成に加えて、リモコン装置（２１００）がねじれ関係判断結果取得部（２１１１）を有し、送信接続制御部（２１０３）がねじれ関係依存接続制御手段（２１１２）を有する。
【００９３】
（実施形態９：リモコン装置の構成）リモコン装置（２１００）は、複数の赤外線信号送信部（２１０１）と、複数の赤外線信号源部（２１０２）と、送信接続制御部（２１０３）と、受信強度測定用信号送信制御部（２１０８）と、ねじれ関係判断結果取得部（２１１１）と、を有する。また、送信接続制御部（２１０３）はねじれ関係依存接続制御手段（２１１２）を有する。さらに、リモコン装置（２１００）が測定結果取得部を、送信接続制御部（２１０３）が第二有効性制御手段を有していてもよい。また、以上の各構成は各々がさらに、前記送信接続制御部（２１０３）は、同一信号送信制御手段、又は／及び異信号送信制御手段を有していてもよい。また、以上の各構成は各々がさらに、前記送信接続制御部（２１０３）が送信部属性情報保持手段と属性依存接続制御手段を有する構成であってもよい。
【００９４】
「ねじれ関係判断結果取得部」（２１１１）は、電子機器（２１２０）のねじれ関係判断結果を取得する機能を有する。「電子機器のねじれ関係判断結果」とは、電子機器（２１２０）のねじれ関係判断結果送信部（２１２６）から送信されるねじれ関係判断結果を指す。ねじれ関係判断結果取得部がねじれ関係判断結果を取得するための通信は、赤外線通信に限る必要はない。有線通信によってもよいし無線通信によってもよい。無線通信であれば、赤外線通信以外にもＢｌｕｅｔｏｏｔｈ（登録商標）、無線ＬＡＮ等であってもよい。ねじれ関係判断結果取得部の具体的な処理としては、例えば、通信インタフェースを介してねじれ関係判断結果を取得し、ＲＡＭ等の所定の記憶領域に格納する。また、ねじれ関係判断結果取得部はこのような処理をＣＰＵに実行させるためのプログラムを含んでいてもよい。
【００９５】
「ねじれ関係依存接続制御手段」（２１１２）は、取得したねじれ関係判断結果に基づいて接続制御をする機能を有する。「取得したねじれ関係判断結果」とは、前記ねじれ関係判断結果取得部（２１１１）にて取得したねじれ関係判断結果を指す。「接続制御」とは、複数の赤外線信号源部と、複数の赤外線信号送信部との接続制御を指す。
【００９６】
図２２は、ねじれ関係依存接続制御手段における処理の一例を示す。最初に、図２２（ａ）に示すように、リモコン装置（２２００）の複数の赤外線信号送信部（２２０１ａ、２２０１ｂ、２２０１ｃ、２２０１ｄ）のうち、赤外線信号送信部２２０１ｂからＩｒＳｉｍｐｌｅ信号が、赤外線信号送信部２２０１ｃからリモコン信号が送信されているとする。また、それぞれに対応する電子機器（２２１０）の赤外線信号受信部として、赤外線信号受信部２２１１ａにてリモコン信号を、赤外線信号受信部２２１１ｂにてＩｒＳｉｍｐｌｅ信号を受信しているとする。これにより、図２２（ａ）のようなねじれ関係となっており、電子機器（２２１０）にてねじれ関係であると判断した判断結果をリモコン装置（２２００）にて取得したとする。このような場合、例えば図２２（ｂ）のように、赤外線信号送信部２２０１ｂからリモコン信号を、赤外線信号送信部２２０１ｃからＩｒＳｉｍｐｌｅ信号を送信するように接続制御すれば、赤外線信号の経路のねじれ関係が解消されるため、双方の赤外線信号はより干渉しにくくなる。また、この時のねじれ関係依存接続制御手段による接続制御を図２３に例示する。図２２（ａ）に例示したねじれ関係の場合、図２３（ａ）に示すように赤外線信号送信部２２０１ｂはＩｒＳｉｍｐｌｅ信号処理機構（２３０１ｂ）に接続されており、赤外線信号送信部２２０１ｃはリモコン信号処理機構（２３０１ａ）に接続されている。これを図２３（ｂ）に例示するように、ねじれ関係依存接続制御手段（２３０２）の破線円で囲まれた部分をスイッチングすることで接続制御を行なえば、赤外線信号送信部２２０１ｂはリモコン信号処理機構（２３０１ａ）に接続され、赤外線信号送信部２２０１ｃはＩｒＳｉｍｐｌｅ信号処理機構（２３０１ｂ）に接続される。このような接続制御により、図２２（ｂ）のような状態となり、ねじれ関係が解消される。
【００９７】
（実施形態９：電子機器の構成）電子機器（２１２０）は、赤外線信号受信部（２１２１）と、受信強度測定用信号送信命令出力部（２１２２）と、受信強度測定部（２１２３）と、ねじれ関係判断部（２１２５）と、ねじれ関係判断結果送信部（２１２６）と、を有する。さらに、電子機器（２１２０）は第一有効性制御部を有していてもよい。すなわち、電子機器（２１２０）の構成は、実施形態８に説明の電子機器の構成と同様である。
【００９８】
（実施形態９：処理の流れ）図２４は、本実施形態に係るリモコンシステムにおける処理の流れを示すシーケンス図を例示する。
【００９９】
最初に、ステップＳ２４０１において、リモコン装置にて複数の赤外線信号源部と複数の赤外線信号送信部との接続制御を行なう。この処理は、主に送信接続制御部によって実行される。次に、ステップＳ２４０４において、電子機器にてリモコン装置に対して受信強度測定用信号送信命令を送信する。この処理は、主に受信強度測定用信号送信命令出力部によって実行される。次に、ステップＳ２４０５において、リモコン装置にて受信強度測定用信号送信命令を受信する。この処理は、主に受信強度測定用信号送信制御部によって実行される。次に、ステップ２４０６において、それぞれの赤外線信号送信部から受信強度測定用信号を重ならないように送信する。この処理は、主に赤外線信号送信部によって実行される。次に、ステップＳ２４０７において、電子機器にて複数の受信強度測定用信号を受信する。この処理は、主に赤外線信号受信部によって実行される。次に、ステップＳ２４０８において、それぞれの受信強度測定用信号に対して同等の利得制御を実行して受信強度を測定する。この処理は、主に受信強度測定部によって実行される。次に、ステップＳ２４１２において、受信強度測定結果に基づいてリモコン装置の複数の赤外線信号送信部から送信される赤外線信号が、電子機器の赤外線信号受信部に受信される経路がねじれ関係となっているか判断する。この処理は、ねじれ関係判断部によって実行される。次に、ステップＳ２４１３において、ねじれ関係の判断結果をリモコン装置に送信する。この処理は、主にねじれ関係判断結果送信部によって実行される。次に、ステップＳ２４１４において、リモコン装置にてねじれ関係判断結果を取得する。この処理は、主にねじれ関係判断結果取得部によって実行される。次に、ステップＳ２４１５において、ねじれ関係判断結果に基づいて接続制御を行なう。この処理は、主にねじれ関係依存接続制御手段によって実行される。
【０１００】
（実施形態９：効果）本実施形態に係るリモコンシステムは、リモコン装置が取得したねじれ関係判断結果に基づいて接続制御を行なうので、例えば赤外線信号送信部から送信される赤外線信号を切り換えることによりねじれ関係を解消する等の接続制御を実行することができる。
（実施形態１０）
【０１０１】
（実施形態１０：概要）本実施形態は、電子機器は受信した赤外線信号をその通信方式に応じて処理するための複数の受信信号処理部を備え、複数の赤外線信号受信部と複数の受信信号処理部との接続制御を行なうことを特徴とするリモコンシステムについて説明する。
【０１０２】
（実施形態１０：構成）本実施形態に係るリモコンシステムの機能ブロック図を図２５に例示する。リモコンシステムは、リモコン装置（２５００）と、電子機器（２５２０）とから構成される。本実施形態に係るリモコンシステムは、実施形態１から９のいずれか一に説明のリモコンシステムの構成に加えて、電子機器（２５２０）が受信信号処理部（２５２７）と受信接続制御部（２５２８）を有する。図２５は、実施形態１に説明のリモコンシステムの構成に、これらの構成要件を加えた構成を例示している。
【０１０３】
（実施形態１０：リモコン装置の構成）リモコン装置（２５００）は、複数の赤外線信号送信部（２５０１）と、複数の赤外線信号源部（２５０２）と、送信接続制御部（２５０３）と、を有する。さらに、リモコン装置（２５００）は受信強度測定用信号送信制御部とねじれ関係判断結果取得部とを有し、送信接続制御部（２５０３）はねじれ関係依存接続制御手段を有していてもよい。さらに、リモコン装置（２５００）が測定結果取得部を、送信接続制御部（２５０３）が第二有効性制御手段を有していてもよい。さらに、リモコン装置は（２５００）は受信強度測定用信号送信制御部を有していてもよい。また、以上の各構成は各々がさらに、前記送信接続制御部（２５０３）は、同一信号送信制御手段、又は／及び異信号送信制御手段を有していてもよい。また、以上の各構成は各々がさらに、前記送信接続制御部（２５０３）が送信部属性情報保持手段と属性依存接続制御手段を有する構成であってもよい。すなわち、リモコン装置（２５００）の構成は、実施形態１から９のいずれか一に説明のリモコン装置の構成と同様である。
【０１０４】
（実施形態１０：電子機器の構成）電子機器（２５２０）は、赤外線信号受信部（２５２１）と、受信信号処理部（２５２７）と、受信接続制御部（２５２８）と、を有する。さらに、電子機器（２５２０）はねじれ関係判断部とねじれ関係判断結果送信部とを有していてもよい。さらに、電子機器（２５２０）は受信強度測定用信号送信命令出力部と受信強度測定部と有していてもよい。さらに、電子機器（２５２０）は第一有効性制御部を有していてもよい。
【０１０５】
「受信信号処理部」（２５２７）は、複数存在し、赤外線信号受信部（２５２１）にて受信した赤外線信号をその通信方式に応じて処理する機能を有する。「赤外線信号をその通信方式に応じて処理する」とは、例えば、受信した赤外線信号がリモコン信号であればリモコン信号のフォーマットに従ってデコードをすること等が該当する。また、赤外線信号受信部（２５２１）にて受信する赤外線信号とは、リモコン装置（２５００）の複数の赤外線信号送信部（２５０１）から送信される赤外線信号であり、これら複数の赤外線信号送信部（２５０１）は複数の赤外線信号源部（２５０２）と接続制御されている。よって、受信する赤外線信号の通信方式は一のみならず複数である場合も想定される。すなわち、受信信号処理部は、それぞれが、リモコン信号、ＩｒＤＡ信号、ＩｒＳｉｍｐｌｅ信号などの通信方式の異なる赤外線信号を処理する処理機構等であってもよい。受信信号処理部は、具体的には、赤外線信号受信部にて受信された赤外線信号をデコードし、その結果得られた音声データや画像データ等の受信データをＲＡＭやＨＤＤ等の所定の記憶領域に記憶する。また、受信信号処理部はこのような処理をＣＰＵに実行させるためのプログラムを含んでいてもよい。
【０１０６】
「受信接続制御部」（２５２８）は、複数の赤外線信号受信部（２５２１）と、複数の受信信号処理部（２５２７）との接続制御をする機能を有する。すなわち、受信接続制御部によって、各赤外線信号受信部（２５２１）にて受信した赤外線信号の通信方式に応じて、処理する受信信号処理部（２５２７）を切り換えることが可能である。また、接続を切断することにより前記受信信号処理部（２５２７）にて赤外線信号が処理されないように制御し、実質、赤外線信号受信部（２５２１）が無効となるように接続制御するようになっていてもよい。
【０１０７】
図２６は、受信接続制御部における処理の一例を示す。図２６においては、赤外線信号受信部（２６０１ａ、２６０１ｂ）が２つ、受信信号処理部（２６０３ａ、２６０３ｂ）が２つである場合を例示している。また、受信信号処理部（２６０３ａ、２６０３ｂ）はリモコン信号とＩｒＳｉｍｐｌｅ信号の処理機構等であるとする。受信接続制御部（２６０２）は、図２６に例示するように、例えばスイッチングによって２つの赤外線信号受信部と２つの受信信号処理部との接続を切り換えることができる。図２６においては、赤外線信号受信部２６０１ａがリモコン信号の処理機構等に接続されており、赤外線信号受信部２６０１ｂがＩｒＳｉｍｐｌｅ信号の処理機構等に接続されている。よって、赤外線信号受信部２６０１ａからはリモコン信号が受信されており、赤外線信号受信部２６０１ｂからはＩｒＳｉｍｐｌｅ信号が受信されていることになる。また、受信接続制御部はこのような処理をＣＰＵに実行させるためのプログラムを含んでいてもよい。
【０１０８】
（実施形態１０：処理の流れ）図２７は、本実施形態に係るリモコンシステムにおける処理の流れを示すシーケンス図を例示する。
【０１０９】
最初に、ステップＳ２７０１において、リモコン装置にて複数の赤外線信号源部と複数の赤外線信号送信部との接続制御を行なう。この処理は、主に送信接続制御部によって実行される。また、ステップＳ２７１６において、電子機器にて複数の赤外線信号受信部と複数の受信信号処理部との受信接続制御を行なう。この処理は、主に受信接続制御部によって実行される。次に、ステップＳ２７０２において、赤外線信号を送信する。この処理は、主に赤外線信号送信部によって実行される。次に、ステップＳ２７０３において、電子機器にて赤外線信号を受信する。この処理は、主に赤外線信号受信部によって実行される。次に、ステップＳ２７１７において、赤外線信号の処理を行なう。この処理は、主に受信信号処理部によって実行される。
【０１１０】
（実施形態１０：効果）本実施形態に係るリモコンシステムは、電子機器にて受信した赤外線信号をその通信方式に応じて処理することにより、音声データや画像データ等の受信データを取得することができる。
（実施形態１１）
【０１１１】
（実施形態１１：概要）本実施形態は、電子機器における複数の赤外線信号受信部と複数の受信信号処理部との接続制御は、ねじれ関係の判断結果に基づいて行なうことを特徴とするリモコンシステムについて説明する。
【０１１２】
（実施形態１１：構成）本実施形態に係るリモコンシステムの機能ブロック図を図２８に例示する。リモコンシステムは、リモコン装置（２８００）と、電子機器（２８２０）とから構成される。本実施形態に係るリモコンシステムは、実施形態１０のうち実施形態８に関係するリモコンシステムの構成に加えて、電子機器（２８２０）の受信接続制御部がねじれ関係依存受信接続制御手段（２８２９）を有する。
【０１１３】
（実施形態１１：リモコン装置の構成）リモコン装置（２８００）は、複数の赤外線信号送信部（２８０１）と、複数の赤外線信号源部（２８０２）と、送信接続制御部（２８０３）と、受信強度測定用信号送信制御部（２８０８）と、を有する。さらに、リモコン装置（２８００）が測定結果取得部を、送信接続制御部（２８０３）が第二有効性制御手段を有していてもよい。さらに、リモコン装置は（２８００）は受信強度測定用信号送信制御部を有していてもよい。また、以上の各構成は各々がさらに、前記送信接続制御部（２８０３）は、同一信号送信制御手段、又は／及び異信号送信制御手段を有していてもよい。また、以上の各構成は各々がさらに、前記送信接続制御部（２８０３）が送信部属性情報保持手段と属性依存接続制御手段を有する構成であってもよい。すなわち、リモコン装置（２８００）の構成は、実施形態１０のうち実施形態８に関連するリモコン装置の構成と同様である。
【０１１４】
（実施形態１１：電子機器の構成）電子機器（２８２０）は、赤外線信号受信部（２８２１）と、受信強度測定用信号送信命令出力部（２８２２）と、受信強度測定部（２８２３）と、ねじれ関係判断部（２８２５）と、ねじれ関係判断結果送信部（２８２６）と、受信信号処理部（２８２７）と、受信接続制御部（２８２８）と、を有する。また、受信接続制御部（２８２８）は、ねじれ関係依存受信接続制御手段（２８２９）を有する。さらに、電子機器（２８２０）は第一有効性制御部を有していてもよい。
【０１１５】
「ねじれ関係依存受信接続制御手段」（２８２９）は、ねじれ関係判断結果に基づいて受信接続制御をする機能を有する。「受信接続制御」とは、複数の赤外線信号受信部（２８２１）と、複数の受信信号処理部（２８２７）との接続制御を指す。
【０１１６】
図２９は、ねじれ関係依存受信接続制御手段における処理の一例を示す。最初に、図２９（ａ）に示すように、リモコン装置（２９００）の複数の赤外線信号送信部（２９０１ａ、２９０１ｂ、２９０１ｃ、２９０１ｄ）のうち、赤外線信号送信部２９０１ｂからＩｒＳｉｍｐｌｅ信号が、赤外線信号送信部２９０１ｃからリモコン信号が送信されているとする。また、それぞれに対応する電子機器（２９１０）の赤外線信号受信部として、赤外線信号受信部２９１１ａにてリモコン信号を、赤外線信号受信部２９１１ｂにてＩｒＳｉｍｐｌｅ信号を受信しているとする。これにより、図２９（ａ）のようなねじれ関係となっているとする。このような場合、例えば図２９（ｂ）のように、赤外線信号受信部２９１１ｂにてリモコン信号を、赤外線信号受信部２９１１ａにてＩｒＳｉｍｐｌｅ信号を受信するように受信接続制御すれば、赤外線信号の経路のねじれ関係が解消される。また、この時のねじれ関係依存受信接続制御手段による接続制御を図３０に例示する。図２９（ａ）に例示したねじれ関係の場合、図３０（ａ）に示すように赤外線信号受信部２９１１ｂはＩｒＳｉｍｐｌｅ信号処理機構（３００３ｂ）に接続されており、赤外線信号受信部２９１１ａはリモコン信号処理機構（３００３ａ）に接続されている。これを図３０（ｂ）に例示するように、ねじれ関係依存受信接続制御手段（３００２）にてスイッチングすることで受信接続制御を行なえば、赤外線信号受信部２９１１ｂはリモコン信号処理機構（３００３ａ）に接続され、赤外線信号受信部２９１１ａはＩｒＳｉｍｐｌｅ信号処理機構（３００３ｂ）に接続される。このような接続制御により、図２９（ｂ）のような状態となり、ねじれ関係が解消される。
【０１１７】
（実施形態１１：処理の流れ）図３１は、本実施形態に係るリモコンシステムにおける処理の流れを示すシーケンス図を例示する。
【０１１８】
最初に、ステップＳ３１０１において、リモコン装置にて複数の赤外線信号源部と複数の赤外線信号送信部との接続制御を行なう。この処理は、主に送信接続制御部によって実行される。次に、ステップＳ３１０４において、電子機器にてリモコン装置に対して受信強度測定用信号送信命令を送信する。この処理は、主に受信強度測定用信号送信命令出力部によって実行される。次に、ステップＳ３１０５において、リモコン装置にて受信強度測定用信号送信命令を受信する。この処理は、主に受信強度測定用信号送信制御部によって実行される。次に、ステップ３１０６において、それぞれの赤外線信号送信部から受信強度測定用信号を重ならないように送信する。この処理は、主に赤外線信号送信部によって実行される。次に、ステップＳ３１０７において、電子機器にて複数の受信強度測定用信号を受信する。この処理は、主に赤外線信号受信部によって実行される。次に、ステップＳ３１０８において、それぞれの受信強度測定用信号に対して同等の利得制御を実行して受信強度を測定する。この処理は、主に受信強度測定部によって実行される。次に、ステップＳ３１１２において、受信強度測定結果に基づいてリモコン装置の複数の赤外線信号送信部から送信される赤外線信号が、電子機器の赤外線信号受信部に受信される経路がねじれ関係となっているか判断する。この処理は、ねじれ関係判断部によって実行される。次に、ステップＳ３１１３において、ねじれ関係の判断結果をリモコン装置に送信する。この処理は、主にねじれ関係判断結果送信部によって実行される。次に、ステップＳ３１１８において、ねじれ関係判断結果に基づいて受信接続制御を行なう。この処理は、主にねじれ関係依存受信接続制御手段によって実行される。
【０１１９】
（実施形態１１：効果）本実施形態に係るリモコンシステムは、電子機器においてねじれ関係判断結果に基づいて受信接続制御を行なうことによりねじれ関係を解消することができる。
【図面の簡単な説明】
【０１２０】
【図１】本発明に係るリモコン装置の概要の一例図
【図２】実施形態１に係るリモコンシステムの機能ブロック図
【図３】送信接続制御部における処理の一例図
【図４】実施形態１に係るリモコンシステムの処理の流れを示すシーケンス図
【図５】実施形態２に係るリモコンシステムの機能ブロック図
【図６】同一信号送信制御手段における処理の一例図
【図７】実施形態３に係るリモコンシステムの機能ブロック図
【図８】異信号送信制御手段における処理の一例図
【図９】実施形態４に係るリモコンシステムの機能ブロック図
【図１０】送信部属性情報の一例図
【図１１】実施形態５に係るリモコンシステムの機能ブロック図
【図１２】受信強度測定用信号送信命令の一例図
【図１３】実施形態５に係るリモコンシステムの処理の流れを示すシーケンス図
【図１４】実施形態６に係るリモコンシステムの機能ブロック図
【図１５】実施形態６に係るリモコンシステムの処理の流れを示すシーケンス図
【図１６】実施形態７に係るリモコンシステムの機能ブロック図
【図１７】実施形態７に係るリモコンシステムの処理の流れを示すシーケンス図
【図１８】実施形態８に係るリモコンシステムの機能ブロック図
【図１９】赤外線信号の経路がねじれ関係にある場合の一例図
【図２０】実施形態８に係るリモコンシステムの処理の流れを示すシーケンス図
【図２１】実施形態９に係るリモコンシステムの機能ブロック図
【図２２】赤外線信号の経路のねじれ関係をねじれ関係依存接続制御手段により調整する場合の一例図
【図２３】ねじれ関係依存接続制御手段における処理の一例図
【図２４】実施形態９に係るリモコンシステムの処理の流れを示すシーケンス図
【図２５】実施形態１０に係るリモコンシステムの機能ブロック図
【図２６】受信接続制御部における処理の一例図
【図２７】実施形態１０に係るリモコンシステムの処理の流れを示すシーケンス図
【図２８】実施形態１１に係るリモコンシステムの機能ブロック図
【図２９】赤外線信号の経路のねじれ関係をねじれ関係依存受信接続制御手段により調整する場合の一例図
【図３０】ねじれ関係依存受信接続制御手段における処理の一例図
【図３１】実施形態１１に係るリモコンシステムの処理の流れを示すシーケンス図
【図３２】同一信号送信制御手段によって期待される効果を表す一例図
【図３３】属性依存接続制御手段における処理の一例図。
【図３４】第一有効性制御部と第二有効性制御手段における処理の一例図
【図３５】一般的なコンピュータの構成の一例図
【符号の説明】
【０１２１】
０１００  リモコン装置
０１０１ａ  赤外線信号送信部
０１０１ｂ  赤外線信号送信部
０１０１ｃ  赤外線信号送信部
０１０１ｄ  赤外線信号送信部
０１０２  干渉領域
【図１】
0004690240.tif 000002
【図２】
0004690240.tif 000003
【図３】
0004690240.tif 000004
【図４】
0004690240.tif 000005
【図５】
0004690240.tif 000006
【図６】
0004690240.tif 000007
【図７】
0004690240.tif 000008
【図８】
0004690240.tif 000009
【図９】
0004690240.tif 000010
【図１０】
0004690240.tif 000011
【図１１】
0004690240.tif 000012
【図１２】
0004690240.tif 000013
【図１３】
0004690240.tif 000014
【図１４】
0004690240.tif 000015
【図１５】
0004690240.tif 000016
【図１６】
0004690240.tif 000017
【図１７】
0004690240.tif 000018
【図１８】
0004690240.tif 000019
【図１９】
0004690240.tif 000020
【図２０】
0004690240.tif 000021
【図２１】
0004690240.tif 000022
【図２２】
0004690240.tif 000023
【図２３】
0004690240.tif 000024
【図２４】
0004690240.tif 000025
【図２５】
0004690240.tif 000026
【図２６】
0004690240.tif 000027
【図２７】
0004690240.tif 000028
【図２８】
0004690240.tif 000029
【図２９】
0004690240.tif 000030
【図３０】
0004690240.tif 000031
【図３１】
0004690240.tif 000032
【図３２】
0004690240.tif 000033
【図３３】
0004690240.tif 000034
【図３４】
0004690240.tif 000035
【図３５】
0004690240.tif 000036